(57)【特許請求の範囲】
【請求項１】
ユーザ装置（ＵＥ）によって使用される装置であって、
無線通信ネットワーク上で進化型ノードＢ（ｅＮＢ）と通信するように構成された通信モジュールと；
前記通信モジュールに結合されたフィードバックモジュールであって、
複数の伝送地点のためのチャネル状態情報（ＣＳＩ）参照信号（ＲＳ）パラメータを含む無線リソース制御（ＲＲＣ）信号を受信し、前記ＣＳＩ−ＲＳパラメータはＣＳＩ−ＲＳ帯域幅パラメータを含み、前記ＣＳＩ−ＲＳ帯域幅パラメータは、第１送信電力の伝送地点が前記第１送信電力より低い第２送信電力の伝送地点とは異なる帯域幅を有することを示し、
複数の伝送地点の中で当該フィードバックモジュールがＣＳＩ−ＲＳフィードバックを生成すべき１つ以上の活性化される伝送地点に対応する複数のインデックスビットを含む媒体アクセス制御（ＭＡＣ）制御要素（ＣＥ）を受信するように構成されたフィードバックモジュールと、
を備える装置。
【請求項２】
請求項１に記載の装置であって、前記フィードバックモジュールはさらに、
前記ＣＳＩ−ＲＳパラメータに基づいて、前記活性化される伝送地点のためのＣＳＩ−ＲＳフィードバックを生成し；
１つ以上の前記活性化される伝送地点のための前記ＣＳＩ−ＲＳフィードバックを前記ｅＮＢに伝送するように構成された、
装置。
【請求項３】
請求項２に記載の装置であって、前記ＲＲＣ信号はさらに最大数を含み、前記フィードバックモジュールはさらに、
それぞれの伝送の品質に基づいて、前記最大数以下の或る数の前記活性化される伝送地点を選択し、
前記選択された伝送地点のための前記ＣＳＩ−ＲＳフィードバックを伝送するように構成された、
装置。
【請求項４】
請求項１に記載の装置であって、前記１つ以上の活性化される伝送地点の各々は、他の伝送地点と多地点協調（ＣｏＭＰ）通信を行うように構成される、装置。
【請求項５】
請求項１に記載の装置であって、前記ＲＲＣ信号はさらに、個々の伝送地点が属する１つ以上のセルのためのセル固有フレーム構造パラメータを含む、
装置。
【請求項６】
請求項１乃至５のいずれか１項に記載の装置であって、前記ＭＡＣ制御要素（ＣＥ）は、
ＣｏＭＰ構成のためのＣＳＩフィードバックの活性化または不活性化に関係するものとして当該ＭＡＣ制御要素（ＣＥ）を識別するための論理チャネル識別子（ＬＣＩＤ）を伴うＭＡＣプロトコルデータユニット（ＰＤＵ）サブヘッダと；
前記複数のインデックスビットを含む本体と、を含む、
装置。
【請求項７】
請求項１に記載の装置であって、個々のインデックスビットは、前記伝送地点の個々のＣＳＩ−ＲＳリソースに対応し、前記ＣＳＩ−ＲＳリソースがＣＳＩフィードバックのために活性化されているか否かを示す、
装置。
【請求項８】
請求項１に記載の装置であって、前記インデックスビットは、複数のビットマップを含む予め定義されたテーブルのビットマップを指し示し、前記ビットマップは前記活性化される伝送地点を示す、
装置。
【請求項９】
請求項１乃至８のいずれか１項に記載の装置であって、前記ＭＡＣ制御要素（ＣＥ）はさらに、前記ＵＥによって使用されるＣｏＭＰモードを示す１つ以上のＣｏＭＰモードビットを含む、
装置。
【請求項１０】
請求項９に記載の装置であって、前記ＭＡＣ制御要素（ＣＥ）は、６個のインデックスビットと１個のＣｏＭＰモードビットを含む、
装置。
【請求項１１】
請求項９に記載の装置であって、前記ＭＡＣ制御要素（ＣＥ）は、１２個のインデックスビットと、２個のＣｏＭＰモードビットと、当該ＭＡＣ制御要素（ＣＥ）が下りリンク構成に対応するか上りリンク構成に対応するかを示す１個のビットと、前記ＵＥによる報告のための活性化ＣＳＩ−ＲＳリソースの部分集合の自律的選択を有効にする１個のビットを含む、
装置。
【請求項１２】
無線通信ネットワーク上のユーザ装置との多地点協調（ＣｏＭＰ）通信を管理するための装置であって、
前記無線通信ネットワーク上で前記ＵＥと通信するように構成された通信モジュールと；
前記通信モジュールに結合されたＣｏＭＰ管理モジュールであって、
ＣｏＭＰ構成パラメータを前記ＵＥに伝送し、当該ＣＯＭＰ構成パラメータは、複数の伝送地点を含む候補測定集合の個々の伝送地点のためのチャネル状態情報（ＣＳＩ）参照信号（ＲＳ）パラメータを含み、当該ＣＳＩ−ＲＳパラメータはＣＳＩ−ＲＳ帯域幅パラメータを含み、前記ＣＳＩ−ＲＳ帯域幅パラメータは、第１送信電力の伝送地点が前記第１送信電力より低い第２送信電力の伝送地点とは異なる帯域幅を有することを示し、
前記ＣＳＩ−ＲＳ帯域幅パラメータに基づいて、前記候補測定集合の中で前記ＵＥがＣＳＩ−ＲＳフィードバックを生成すべき個々の伝送地点を識別するために、前記ＵＥに制御信号を伝送するように構成されたＣｏＭＰ管理モジュールと、
を備える、
装置。
【請求項１３】
請求項１２に記載の装置であって、前記ＵＥがＣＳＩ−ＲＳフィードバックを生成する対象となる前記個々の伝送地点を識別する前記制御信号は、前記ＣＳＩ−ＲＳフィードバックを前記ＵＥが生成する対象となる前記候補測定集合の１つ以上の活性化される伝送地点に対応する複数のインデックスビットを有する媒体アクセス制御（ＭＡＣ）制御要素（ＣＥ）を含む、
装置。
【請求項１４】
請求項１３に記載の装置であって、個々のインデックスビットは、前記候補測定集合の個々の伝送地点に対応し、前記個々の伝送地点のＣＳＩ−ＲＳリソースがＣＳＩフィードバックのために活性化されているか否かを示す、
装置。
【請求項１５】
請求項１３に記載の装置であって、前記インデックスビットは、複数のビットマップを含む予め定義されたテーブルのビットマップを指し示す、
装置。
【請求項１６】
請求項１３乃至１５のいずれか１項に記載の装置であって、前記ＭＡＣ制御要素（ＣＥ）はさらに、前記ＵＥによって使用されるＣｏＭＰモードが結合伝送であるならば第１の値を有するＣｏＭＰモードビットを含む、
装置。
【請求項１７】
請求項１３に記載の装置であって、前記ＭＡＣ制御要素（ＣＥ）は、さらに、前記ＵＥによって使用されるＣｏＭＰモードが、結合伝送か、動的地点選択か、または、協調スケジューリング／協調ビームフォーミングかを示す、一対のＣｏＭＰモードビットを含む、
装置。
【請求項１８】
請求項１３乃至１７のいずれか１項に記載の装置であって、前記ＭＡＣ制御要素（ＣＥ）は、当該ＭＡＣ制御要素（ＣＥ）が下りリンク構成に対応するか上りリンク構成に対応するかを示す第１ビットを含む、
装置。
【請求項１９】
ユーザ装置（ＵＥ）であって、
無線リソース制御（ＲＲＣ）シグナリングを介して、多地点協調（ＣｏＭＰ）測定集合の複数の伝送地点のためのチャネル状態情報（ＣＳＩ）参照信号（ＲＳ）パラメータを受信するための手段であって、前記ＣＳＩ−ＲＳパラメータはＣＳＩ−ＲＳ帯域幅パラメータを含み、前記ＣＳＩ−ＲＳ帯域幅パラメータは、第１送信電力の伝送地点が前記第１送信電力より低い第２送信電力の伝送地点とは異なる帯域幅を有することを示す、手段と；
前記複数の伝送地点の中で、前記ＵＥがＣＳＩ−ＲＳフィードバックを生成すべき１つ以上の活性化される伝送地点を識別するための媒体アクセス制御（ＭＡＣ）制御要素（ＣＥ）を受信するための手段と、を備える、
ＵＥ。
【請求項２０】
請求項１９に記載のＵＥであって、さらに、
前記受信したＣＳＩ−ＲＳパラメータに基づいて、前記活性化される伝送地点のためのＣＳＩ−ＲＳフィードバックを生成するための手段と；
１つ以上の前記活性化される伝送地点のための前記ＣＳＩ−ＲＳフィードバックを基地局に伝送するための手段と、を備える、
ＵＥ。
【請求項２１】
請求項１９に記載のＵＥであって、前記ＭＡＣ制御要素（ＣＥ）は、複数のインデックスビットを含み、個々のインデックスビットは、前記ＣｏＭＰ測定集合の個々の伝送地点に対応し、前記個々の伝送地点がＣＳＩフィードバックのために活性化されているか否かを示す、
ＵＥ。
【請求項２２】
請求項１９に記載のＵＥであって、前記ＭＡＣ制御要素（ＣＥ）は、複数のインデックスビットを含み、前記インデックスビットは、複数のビットマップを含む予め定義されたテーブルのビットマップを指し示し、当該ビットマップは前記活性化される伝送地点を示す、
ＵＥ。
【請求項２３】
請求項１９乃至２２のいずれか１項に記載のＵＥであって、前記ＭＡＣ制御要素（ＣＥ）はさらに、前記ＵＥによって使用されるＣｏＭＰモードを示す、
ＵＥ。
【請求項２４】
無線通信ネットワーク上のユーザ装置（ＵＥ）との多地点協調（ＣｏＭＰ）通信を管理するための方法であって、
前記ＵＥに、無線リソース制御（ＲＲＣ）シグナリングを介して、複数の伝送地点のためのチャネル状態情報（ＣＳＩ）参照信号（ＲＳ）パラメータを伝送する伝送ステップであって、前記ＣＳＩ−ＲＳパラメータはＣＳＩ−ＲＳ帯域幅パラメータを含み、前記ＣＳＩ−ＲＳ帯域幅パラメータは、第１送信電力の伝送地点が前記第１送信電力より低い第２送信電力の伝送地点とは異なる帯域幅を有することを示す、伝送ステップと；
前記ＵＥに、複数のビットマップを含む予め定義されたテーブルのビットマップを指し示す複数のインデックスビットを含む媒体アクセス制御（ＭＡＣ）制御要素（ＣＥ）を伝送する伝送ステップであって、前記ビットマップは、前記複数の伝送地点の中で前記ＵＥがＣＳＩ−ＲＳフィードバックを生成すべき１つ以上の活性化される伝送地点を示す、伝送ステップと、を有する、
方法。
【請求項２５】
請求項２４に記載の方法であって、前記ビットマップの個々のビットは、前記ＣｏＭＰ測定集合の個々の伝送地点に対応し、前記個々の伝送地点がＣＳＩフィードバックのために活性化されているか否かを示す、
方法。
【発明の詳細な説明】
【技術分野】
【０００１】
本発明の実施形態は、一般的には通信の技術分野に関係し、より具体的には、下りリンク多地点協調通信の構成のためのシグナリングに関する。
【背景技術】
【０００２】
無線ネットワークにおける様々な動作パラメータを改善するために、多地点協調（ＣｏＭＰ）システムが開発されてきた。３つのタイプのＣｏＭＰシステムがある：結合伝送（ＪＴ）；動的地点選択（ＤＰＳ）；および、協力的スケジューリングと協力的ビームフォーミング（ＣＳ／ＣＢ）である。ＪＴタイプのＪｏＭＰにおいては、拡張ノード基地局（ｅＮＢ）等のサービング地点、および、他のｅＮＢ等の協力地点のいずれもが、同じデータをユーザ装置（ＵＥ）に送信し得る。ＤＰＳタイプのＪｏＭＰにおいては、伝送地点は、マクロノードｅＮＢおよびピコノードｅＮＢ等の異なる候補の中から動的に選択され得る。ＣＳ／ＣＢタイプのＪｏＭＰにおいては、協力ノードは、干渉チャネルの干渉を抑制し得る。ＵＥとのＣｏＭＰ通信を効果的に管理するためには、伝送地点の様々なＣｏＭＰの組の定義が要求される。しかしながら、ＵＥは、ｅＮＢが効果的にＣｏＭＰの組を決定することを許す十分なフィードバックを、提供しないかもしれない。
【図面の簡単な説明】
【０００３】
実施形態は、添付図面と連携して、以下の詳細な説明によって容易に理解されるであろう。この説明を容易にするために、同じ参照番号は同じ構成要素を示す。実施形態は、添付図面の図において、限定のためではなく、例示として示される。
【図１】さまざまな実施形態に従った、無縁通信ネットワークを模式的に示す図である。
【図２】さまざまな実施形態に従った、ユーザ装置を示すブロック図である。
【図３】さまざまな実施形態に従った、基地局を示すブロック図である。
【図４Ａ】さまざまな実施形態に従った、ＲＲＣ伝送のための例示の抽象構文記法（ＡＳＮ．１）を示す図である。
【図４Ｂ】さまざまな実施形態に従った、ＲＲＣ伝送のための別の例示のＡＳＮ．１を示す図である。
【図４Ｃ】さまざまな実施形態に従った、ＲＲＣ伝送のための更に別の例示のＡＳＮ．１を示す図である。
【図５】さまざまな実施形態に従った、媒体アクセス制御（ＭＡＣ）プロトコルデータユニット（ＰＤＵ）サブヘッダのための論理チャネル識別子（ＬＣＩＤ）を示す表である。
【図６】さまざまな実施形態に従った、１オクテットを含むＭＡＣ制御要素（ＣＥ）の本体を示す図である。
【図７】さまざまな実施形態に従った、２オクテットを含むＭＡＣ制御要素（ＣＥ）の本体を示す図である。
【図８】さまざまな実施形態に従った、図６のＭＡＣ制御要素（ＣＥ）のＲビットの例示の割当てフィールドを示す表である。
【図９】さまざまな実施形態に従った、図７のＭＡＣ制御要素（ＣＥ）のＲビットの例示の割当てフィールドを示す表である。
【図１０】さまざまな実施形態に従った、ユーザ装置によって実行され得る、下りリンク多地点協調（ＣｏＭＰ）構成をサポートする方法を示すフローチャートである。
【図１１】さまざまな実施形態に従った、基地局によって実行され得る、下りリンクＣｏＭＰ管理方法を示すフローチャートである。
【図１２】さまざまな実施形態に従った、例示のシステムを示すブロック図である。
【発明を実施するための形態】
【０００４】
本開示の例示の実施形態は、これらに限定されないが、無線通信ネットワークにおいて下りリンク多地点協調（ＣｏＭＰ）通信を構成するための方法、システムおよび装置を含む。
【０００５】
例示の実施形態のさまざまな側面が、その研究の内容を当業者に伝えるために、当業者によって共通に採用される用語を用いて説明されるであろう。しかしながら、代替的な実施形態が、説明された側面のいくつかのみを用いて実施され得ることは、当業者にとって自明であろう。説明の目的のために、例示の実施形態の完全な理解を提供するために、特定の数、材料、および構成が説明される。しかしながら、代替的な実施形態が、特定の詳細を用いることなく実施され得ることは、当業者にとって自明であろう。他の例では、例示の実施形態を不明確にしないように、周知の特徴は省かれ、または単純化される。
【０００６】
さらに、さまざまな動作が複数の離散的な動作として、順番に、例示の実施形態を理解することにおいて最も役立つような方法で説明されるであろう。しかしながら、説明の順番は、これらの動作が必ずしも順番依存であることを示唆すると解釈されるべきではない。特に、これらの動作は提示された順番で実行される必要はない。
【０００７】
「いくつかの実施形態において」という語句は繰り返し使用される。該語句は、一般に同じ実施形態を参照しないが、しかし、参照し得る。「含む（ｃｏｍｐｒｉｓｉｎｇ）」、「持つ（ｈａｖｉｎｇ）」、および「含む（ｉｎｃｌｕｄｉｎｇ）」は、文脈からそうでない場合を除いて、同義語である。「Ａおよび／またはＢ」という語句は、（Ａ）、（Ｂ）、または、（ＡおよびＢ）を意味する。「Ａ／Ｂ」という語句は、「Ａおよび／またはＢ」に似て、（Ａ）、（Ｂ）、または、（ＡおよびＢ）を意味する。「Ａ、ＢおよびＣの少なくとも１つ」という語句は、（Ａ）、（Ｂ）、（Ｃ）、（ＡおよびＢ）、（ＡおよびＣ）、（ＢおよびＣ）、または、（Ａ、ＢおよびＣ）を意味する。「（Ａ）Ｂ」という語句は、（Ｂ）または（ＡおよびＢ）、すなわち、Ａがオプション的であることを意味する。
【０００８】
本明細書において、特定の実施形態が示され説明されているが、本開示の実施形態の範囲から逸脱することなく、広範囲の代替的および／または均等的実施形態が、示され説明された特定の実施形態に代わり得ることは、当業者によって理解されるであろう。本出願は、本明細書において議論された実施形態のいかなる適応または派生をもカバーすることを意図するものである。したがって、本開示の実施形態が特許請求の範囲およびその均等物によってのみ限定されることは、明らかに意図されている。
【０００９】
本明細書において使用されているように、「モジュール」という用語は、アプリケーション特定集積回路（ＡＳＩＣ）、電気回路、１以上のソフトウェアまたはファームウェアプログラムを実行するプロセッサ（共有、専用、またはグループ）、および／または、メモリ（共有、専用、またはグループ）、記載された機能を提供する組合せ論理回路、および／または、他の適切なコンポーネント、を参照し得る、またはその一部であり得る、または、それを含み得る。
【００１０】
図１は、さまざまな実施形態に従った、無縁通信ネットワーク１００を模式的に示す。無線通信ネットワーク１００（以下、「ネットワーク１００」と称する）は、進化型ユニバーサル移動通信システム（ＵＭＴＳ）地上無線アクセスネットワーク（Ｅ−ＵＴＲＡＮ）のような第三世代パートナーシッププロジェクト（３ＧＰＰ）ロングタームエボリューション（ＬＴＥ）ネットワークのアクセスネットワークであり得る。ネットワーク１００は、進化型ノードＢ（ｅＮＢ）１０４等の、ユーザ装置（ＵＥ）１０８と無線で通信するように構成された基地局を含み得る。
【００１１】
少なくとも初期には、ｅＮＢ１０４は、ＵＥ１０８との確立された無線接続を有し得、ＵＥ１０８とのＣｏＭＰ通信のためのサービングノードとして動作し得る。ｅＮＢ１０４は、ネットワーク１００の個々のセル１１６ａ−ｃにサービスする１以上の伝送地点１１２ａ−ｃを含み得る。例えば、伝送地点１１２ａは第１セル１１６ａをカバーし得、伝送地点１１２ｂは第２セル１１６ｂをカバーし得、そして、伝送地点１１２ｃは第３セル１１６ｃをカバーし得る。他の実施形態において、ｅＮＢ１０４は、１つの伝送地点のみを含み、そして／または、１つのセルのみをカバーし得る。ネットワーク１００はさらに１以上の追加の伝送地点１１２ｄ−ｏを含み得る。いくつかの実施形態において、伝送地点１１２ｄ−ｏはリモート無線ヘッド（ＲＲＨ）であり得、また、リモート無線機器（ＲＲＥ）および／または基地局（例、ｅＮＢ）として参照され得る。いくつかの実施形態において、伝送地点１１２ｄ−ｏは、ｅＮＢ１０４より低い電力で伝送し得る。伝送地点１１２ｄ−ｏは、図に示されるように、セル１１６ａ−ｃの中に位置し得、そして／または、セル１１６ａ−ｃと関連付られ得る。
【００１２】
伝送地点１１２ｄ−ｏは、ｅＮＢ１０４との協調を通して、ＵＥ１０８との無線通信を促進するように構成され得る。１以上の追加の伝送地点１１２ｄ−ｏは、ひとまとめに、「協調ノード」として参照され得る。いくつかの実施形態において、伝送地点は、協調ノードの役割とサービングノードの役割との間を遷移し得る。サービングノードおよび協調ノードはお互いに無線接続上で、および／または、有線接続上で（例、高速ファイバー帰路接続）通信し得る。
【００１３】
図２において示されるように、ＵＥ１０８は、少なくとも図に示されるように互いに結合された、通信モジュール２２０と、フィードバックモジュール２２４と、および、メモリ２２８とを含み得る。通信モジュール２２０はさらに、ネットワーク１００上で無線で通信するために、複数のアンテナ２３２の１以上と結合され得る。
【００１４】
ＵＥ１０８は、いかなる適切な数のアンテナ２３２を含み得る。さまざまな実施形態において、ＵＥ１０８は、少なくとも、伝送地点１１２ａ−ｏからＵＥ１０８が受信する同時空間レイヤまたはストリームの数と同じ数のアンテナ２３２を含み得る。もっとも、本開示の範囲は、この側面において限定され得ない。同時空間レイヤまたはストリームの数はまた、伝送ランク、あるいは単に、ランク、とも参照され得る。
【００１５】
１以上のアンテナ２３２は、交互に、送信または受信アンテナとして使用され得る。代替的に、または追加的に、１以上のアンテナ２３２は、専用受信アンテナまたは専用送信アンテナであり得る。
【００１６】
図３において示されるように、ｅＮＢ１０４は、少なくとも図に示されるように互いに結合された通信モジュール３３６およびＣｏＭＰ管理モジュール３４０を含み得る。通信モジュール３３６はさらに、ｅＮＢ１０４の複数のアンテナ３４４の１以上と結合され得る。通信モジュール３３６は、１以上のＵＥ（例、ＵＥ１０８）と通信し得る（例、ＵＥへ情報を伝送し得、および／または、ＵＥから情報を受信し得る）。さまざまな実施形態において、ｅＮＢ１０４は、少なくとも、ＵＥ１０８へ伝送される同時伝送ストリームの数と同じ数のアンテナ３４４を含み得る。もっとも、本開示の範囲はこの側面において限定され得ない。１以上のアンテナ３４４は、送信または受信アンテナとして交互に使用され得る。代替的に、または追加的に、１以上のアンテナ３４４は、専用受信アンテナであり得、専用送信アンテナであり得る。追加的に、１以上のアンテナ３４４は、個々の伝送地点１１２ａ−ｃ（例、個々のセル１１６ａ−ｃないの通信のための専用の）に、関連付けられ得る。代替的に、または追加的に、１以上のアンテナ３４４は、１以上のセル１１６ａ−ｃにおける通信の間を行ったり来たりし得る。
【００１７】
いくつかの実施形態において、１以上の伝送地点１１２ｄ−ｏは、ｅＮＢ１０４と同様のモジュール／コンポーネントを持ち得る。
【００１８】
さまざまな実施形態において、ＵＥ１０８のフィードバックモジュール２２４は、ｅＮＢ１０４から無線リソース制御（ＲＲＣ）伝送を受信し得る。ＲＲＣ伝送はＣｏＭＰ構成パラメータを含み得る。例えば、ＲＲＣ伝送は、複数の伝送地点（例、複数の伝送地点１１２ａ−ｏ）のためのチャネル状態情報（ＣＳＩ）参照信号（ＲＳ）パラメータを含み得る。該伝送地点は、ＵＥ１０８とのＣｏＭＰ通信のための初期の候補であり得る。これらの伝送地点は、候補測定集合としてひとまとめに参照され得る。
【００１９】
さまざまな実施形態において、ＵＥ１０８は、その後、ＣＳＩ−ＲＳフィードバックのために活性化された１以上の候補伝送地点を示す媒体アクセス制御（ＭＡＣ）制御要素（ＣＥ）を受信し得る。活性化された伝送地点は、伝送地点のＣｏＭＰ測定集合としてひとまとめに参照され得、ＵＥ１０８は、この伝送地点のＣｏＭＰ測定集合のためにＣＳＩ−ＲＳフィードバックを生成する。ＵＥ１０８は、ＣＳＩ−ＲＳパラメータに基づいて活性化された伝送地点のためのＣＳＩ−ＲＳフィードバックを生成し得、１以上の活性化された伝送地点のためのＣＳＩ−ＲＳフィードバックをｅＮＢ１０４に伝送し得る。いくつかの実施形態において、ＣＳＩ−ＲＳフィードバックは、高速ＣＳＩ−ＲＳフィードバック（長期（平均）ＣＳＩ−ＲＳフィードバックに対して）であり得る。
【００２０】
ｅＮＢ１０４は、その地点のための高速ＣＳＩ−ＲＳフィードバック情報をｅＮＢ１０４が受信する伝送地点から、協調集合およびスケジュールされた伝送地点集合のための伝送地点を選択し得る。協調集合は、ＵＥ１０８に対するＣｏＭＰ伝送のために協調する伝送地点を含み得る。ｅＮＢ１０４は、受信したＣＳＩ−ＲＳフィードバック、他のスケジュール決定、および／または、他のデータ／要因に基づいて、協調集合に含まれる伝送地点を決定し得る。協調集合は、ＵＥ１０８に対する物理下りリンク共有チャネル（ＰＤＳＣＨ）上の伝送のためにスケジュールされた１以上の伝送地点を含み得る。追加的に、協調集合は、対応するチャネルリソースのためにＰＤＳＣＨをミュートする（例、伝送しない）ようにスケジュールされたいかなる伝送地点を含み得る。スケジュールされた伝送地点集合は、ＵＥ１０８に対してＰＤＳＣＨ上で伝送するようにスケジュールされた１以上の伝送地点のみを含み得る。
【００２１】
ｅＮＢ１０４は、どの伝送地点がＣｏＭＰ測定集合に含まれるか、動的に更新し得る。ＣｏＭＰ測定集合は、例えば、受信したＣＳＩ−ＲＳフィードバック情報、他のスケジューリング決定、および／または、他のデータ／要因に基づいて、ＣｏＭＰ測定集合を更新し得る。ｅＮＢ１０４は、更新されたＣｏＭＰ測定集合に含まれる活性化された伝送地点をＵＥ１０８に通知するために、ＭＡＣ制御要素（ＣＥ）をさらに送信し得る。ＵＥ１０８は、ＲＲＣ伝送においてその前に受信したＣｏＭＰ構成パラメータを参照し得る。それに応じて、ｅＮＢ１０４は、ＣｏＭＰ構成パラメータを再送する必要がないかもしれない。こうして、ＲＲＣシグナリング、および／または、ＭＡＣ制御要素（ＣＥ）は、効率的な方法で、ＣＳＩ−ＲＳフィードバックの動的活性化／不活性化を許す。
【００２２】
図４Ａは、さまざまな実施形態に従った、ＲＲＣ伝送のための例示の抽象構文記法（ＡＳＮ．１）コード４００を示す。ＲＲＣ伝送の内容は、そのすべてが一度に送信され得、または、別々の伝送において送信され得る。
【００２３】
上記で議論されたように、ＲＲＣ伝送は、ＵＥ１０８に対するＣｏＭＰ伝送のための候補である個々の伝送地点、および／または、セルに関するＣｏＭＰ構成パラメータを含み得る。ＣｏＭＰ構成パラメータは、個々の候補伝送地点のためのＣＳＩ−ＲＳパラメータを含み得る。ＣＳＩ−ＲＳパラメータは、例えば、ＣＳＩ−ＲＳリソース構成パラメータ、ゼロ電力ＣＳＩ−ＲＳ構成パラメータ、上りリンク制御チャネルパラメータ、および／または、ＣＳＩフィードバックモード表示を含み得る。ＣＳＩ−ＲＳリソース構成パラメータは、例えば、伝送電力、周期性、サブフレームオフセット、スクランブリング符号のための初期化種、アンテナポートの数、および／または、候補測定集合の個々の伝送地点に関係するインデックスを含み得る。ゼロ電力ＣＳＩ−ＲＳ構成パラメータは、従来のゼロ電力ＣＳＩ−ＲＳ構成パラメータ、および／または、干渉測定のためのゼロ電力ＣＳＩ−ＲＳ構成パラメータを含み得る。ＣＳＩ−ＲＳパラメータは、候補測定集合の個々の伝送地点に対応するインデックス、を含み得、および／または、と関連付けられ得る。該インデックスは、明示的に割当てられ得、および／または、暗黙的に割当てられ得る（例、ＲＲＣ伝送におけるＣＳＩ−パラメータの順番に基づいて）。インデックスは、本明細書においてさらに議論されるように、ＭＡＣ制御要素（ＣＥ）が、ＣＳＩ−ＲＳフィードバックのために伝送地点を効率的に活性化、および／または、不活性化することを許し得る。
【００２４】
いくつかの実施形態において、ＲＲＣ伝送におけるＣｏＭＰ構成パラメータはさらに、ＵＥ１０８がＣＳＩ−ＲＳフィードバックを伝送する対象となるＣｏＭＰ測定集合の伝送地点の最大数に対応する最大数を含み得る。ＵＥ１０８は、個々の伝送の品質に基づいて（例、生成したＣＳＩ−ＲＳフィードバックに基づいて）活性伝送地点の数を選択し得る。ここで、該数は、最大数より小さいか等しい。ＵＥ１０８は、選択伝送地点のための生成したＣＳＩ−ＲＳフィードバックをｅＮＢ１０４に伝送し得る。
【００２５】
いくつかの実施形態において、ＲＲＣ伝送におけるＣｏＭＰ構成パラメータはさらに、セル固有パラメータを含み得る。図４Ｂは、さまざまな実施形態に従った、セル固有パラメータを含むＲＲＣ伝送のためのＡＳＮ．１コード４１０の一例を示す。代替的な例示のＡＳＮ．１コード４２０が図４Ｃにおいて示される。ＡＳＮ．１コード４１０、および／または、４２０によって定義されるパラメータは、ＡＳＮ．１コード４００に含まれるパラメータとして同じＲＲＣ伝送に含まれ得る、および／または、異なる伝送に含まれ得る。
【００２６】
セル固有パラメータは、例えば、無線フレーム内のマルチキャスト・ブロードキャスト単一周波数ネットワーク（ＭＢＳＦＮ）サブフレームインデックスのようなフレーム構造パラメータ、共通参照信号（ＣＲＳ）のためのアンテナポートの数、ＣＲＳ周波数シフト（例、０から５）、サービングセルに対するサブフレームシフト、セル識別子、セルによって伝送される物理下りリンク制御チャネル（ＰＤＣＣＨ）におけるシンボル数、および／または、個々のセル（例、セル１１６ａ−ｃ）に関連付けられた位置参照信号（ＰＲＳ）パラメータを含み得る。
【００２７】
セル固有パラメータは、セルが、新しいキャリアタイプを用いて構成されているかを示すｎｅｗＣａｒｒｉｅｒＴｙｐｅパラメータを含み得る。もし、複数のキャリアタイプが、ＣｏＭＰにおける異なる処理とともに定義されるならば、このパラメータは、複数の可能な値（例、１−４）を用いて列挙され得る。いくつかのキャリアタイプについては、セル固有パラメータのいくつかは関係がない、または適用可能でないかもしれない。それらのセル固有パラメータは、それらのキャリアタイプのために含まれるかもしれないし、含まれないかも知れない。
【００２８】
いくつかの実施形態において、ＲＲＣ伝送におけるＣｏＭＰ構成パラメータはさらに、候補測定集合の個々の伝送地点のためのＣＳＩ−ＲＳ帯域幅パラメータを含み得る。いくつかの実施形態において、伝送地点１１２ａ−ｏの１以上は、他の伝送地点１１２ａ−ｏとは異なる帯域幅を用いて伝送し得る。例えば、より高い電力の伝送地点は、より低い電力の伝送地点とは異なる帯域幅を持ち得る。伝送地点の帯域幅は、広帯域ＣＳＩ測定等のいくつかのフィードバック測定に影響を与え得る。それに応じて、ＣＳＩ−ＲＳ帯域幅パラメータは、フィードバック情報を生成するときに伝送地点の帯域幅をＵＥ１０８が考慮することを許す。
【００２９】
さまざまな実施形態において、ＲＲＣ伝送を介して受信されたＣｏＭＰ構成パラメータはＵＥ１０８によって格納され得る（例、メモリ２２８の中に）。本明細書においてさらに議論されるように、フィードバックモジュール２２４は、ＭＡＣ制御要素（ＣＥ）によってＣＳＩ−ＲＳフィードバックのために活性化された伝送地点を探して、メモリ２２８からパラメータを検索し得る。
【００３０】
さまざまな実施形態において、ＭＡＣ制御要素（ＣＥ）は、ＣｏＭＰ構成のためのＣＳＩフィードバックの活性化および／または不活性化に関係するものとしてＭＡＣ制御要素（ＣＥ）を特定するための論理チャネル識別子（ＬＣＩＤ）を伴ったＭＡＣプロトコルデータユニット（ＰＤＵ）サブヘッダを含み得る。図５は、さまざまなＭＡＣ制御要素（ＣＥ）のための例示のＬＣＩＤを伴う表５００を示す。表５００に示されるように、ＭＡＣ制御要素（ＣＥ）のためのＬＣＩＤは、ＣｏＭＰ活性化／不活性化を示すために「１１０１０」であり得る。他の適切なＬＣＩＤが使用され得ることは明らかであろう。
【００３１】
ＭＡＣ制御要素（ＣＥ）はさらに、本体（ペイロードとも参照される）を含み得る。図６は、８ビット（例、１オクテット）を有する本体６００を伴うＭＡＣ制御要素（ＣＥ）を示す。本体６００は、６インデックスビット（例、ＣビットＣ０−Ｃ５）および２Ｒビット（例、Ｒ０およびＲ１）を含み得る。図７は、１６ビット（例、２オクテット）を有する本体７００を伴うＭＡＣ制御要素（ＣＥ）を示す。本体７００は、１２インデックスビット（例、ＣビットＣ０−Ｃ１１）および４Ｒビット（例、Ｒ０−Ｒ３）を含み得る。他の実施形態は、いかなる他の適切な数のインデックスビット、Ｒビット、および／または、合計ビットを含み得、そして、いかなる他の適切なビット配置を含み得る。
【００３２】
いくつかの実施形態において、個々のインデックスビットＣｉは、ＲＲＣ伝送によって構成された候補測定集合の個々の伝送地点の各インデックスｉに直接対応し得る（例、個々の伝送地点の個々の構成されたＣＳＩ−ＲＳリソース）。インデックスビットは、伝送地点がＣＳＩ−ＲＳフィードバックについて活性化されていることを示す第１の値（例、ロジック１）、および、伝送地点がＣＳＩ−ＲＳフィードバックについて活性化されていないことを示す第２の値（例、ロジック０）を持ち得る。
【００３３】
代替的に、インデックスビットは、複数のビットマップを含む予め定義された表のビットマップを指し示し得る。ビットマップは、伝送地点のインデックスに基づいて、活性化された伝送地点を示し得る。これは、より大きい集合の候補伝送地点を構成し、ＣＳＩ−ＲＳフィードバックについて動的に活性化／不活性化することを許す。例えば、同時に活性化される伝送地点の最大値Ｍが候補伝送地点の数よりも少ないならば、ビットマップテーブルが使用され得る。例えば、もしＭが３ならば、予め定義されたビットマップテーブルは、１つのビットだけ、２つのビットだけ、または３つのビットだけが活性化されていると設定された６４の可能な８ビットビットマップ（８つの候補伝送地点に対応）を含み得る（例ロジック１）。その場合、事前に定義されたテーブルに含まれる６４の可能な８ビットのビットマップの１つを指し示すために、ＭＡＣ制御要素（ＣＥ）本体６００の６つのインデックスビットが使用され得る。
【００３４】
ＵＥ１０８のフィードバックモジュール２２４は、ＭＡＣ制御要素（ＣＥ）を受信し得る。フィードバックモジュール２２４は、次に、ＭＡＣ制御要素（ＣＥ）によって示された活性化された伝送地点のためのＣＳＩ−ＲＳフィードバック（例、高速ＣＳＩ−ＲＳフィードバック）を生成し得る。フィードバックモジュール２２４は次に、１以上の活性化された伝送地点のために生成したＣＳＩ−ＲＳフィードバックをｅＮＢ１０４に伝送する。前述のように、いくつかの実施形態において、フィードバックモジュール２２４は、最大数より少ないかまたは等しい数の伝送地点のための生成したＣＳＩ−ＲＳフィードバックを送信し得る。
【００３５】
さまざまな実施形態において、Ｒビットは、ｅＮＢ１０４および／またはＵＥ１０８によって使用されるＣｏＭＰモードを示すための１以上のＣｏＭＰモードビットを含み得る。いくつかの実施形態において、ＭＡＣ制御要素（ＣＥ）は、もしＣｏＭＰモードが結合伝送（ＪＴ）ならば第１の値を持ち（例、ロジック０）、もしＣｏＭＰモードが結合伝送でない（例、動的地点選択（ＤＰＳ）または協調スケジューリング／協調ビームフォーミング（ＣＳ／ＣＢ））ならば第２の値を持つ、単一のＣｏＭＰモードビットを含み得る。代替的に、ＭＡＣ制御要素（ＣＥ）は、ＣｏＭＰモードがＪＴ、ＤＰＳ、またはＣＳ／ＣＢであるかを示すために一対のＣｏＭＰモードビットを含み得る。
【００３６】
例えば、図８は、一実施形態に従った、ＭＡＣ制御要素（ＣＥ）本体６００のためのＲビットのフィールドを示すテーブル８００である。ＭＡＣ制御要素（ＣＥ）本体６００は、１つのＣｏＭＰモードビット（Ｒ０）と１つの予約ビット（Ｒ１）を含み得る。代替的に、ＭＡＣ制御要素（ＣＥ）本体６００の両Ｒビットは、ＣｏＭＰモードビットであり得る。
【００３７】
図９は、別の実施形態に従った、ＭＡＣ制御要素（ＣＥ）本体７００のためのＲビットの例示のフィールドを示すテーブル９００である。ＭＡＣ制御要素（ＣＥ）本体７００は、２つのＣｏＭＰモードビット（Ｒ０およびＲ１）および２つの予約ビット（Ｒ２及びＲ３）を含み得る。代替的に、ＭＡＣ制御要素（ＣＥ）本体７００は、１つのＣｏＭＰモードビットのみを含み得る。
【００３８】
ＵＥ１０８は、使用されるべきＣｏＭＰモードに基づいて使用するためのＣＳＩ−ＲＳフィードバックの構成を決定し得る。例えば、１以上のＣｏＭＰモードビットによって示された結合伝送の場合、ＵＥ１０８は、ＣｏＭＰモードに応じて、すべてのＣＳＩ−ＲＳについて、好ましいサブバンドの同じ集合についてＣＳＩ−ＲＳフィードバックを提供し得、すべてのＣＳＩ−ＲＳリソースについて同じランクのＣＳＩ−ＲＳフィードバックを提供し得、ランク表示（ＲＩ）、プリコーディング行列表示（ＰＭＩ）、および／または、チャネル品質表示（ＣＱＩ）リポートを計算するために、同じ受信処理を使用し得、そして／または、ＣＳＩ−ＲＳリソース間フィードバックまたは複数のＣＳＩ−ＲＳリソースに亘って集約されたＣＳＩフィードバックを提供し得る。１以上のＣｏＭＰモードビットによって示されるごとく協調スケジューリングおよびビームフォーミングの場合、ＵＥ１０８は、ＵＥが提供するＣＳＩ−ＲＳフィードバックを、いくつかのＣＳＩ−ＲＳリソースについての低いランクに制限し得る。いくつかの実施形態において、下りリンクＣｏＭＰだけでなく上りリンクＣｏＭＰについてのフィードバックを構成するために、同じＬＣＩＤを有するＭＡＣ制御要素（ＣＥ）が使用され得る。いくつかのそのような実施形態において、本体６００および／または本体７００は、ＭＡＣ制御要素（ＣＥ）が下りリンクＣｏＭＰ構成に対応するか上りリンクＣｏＭＰ構成に対応するかを示すビットを含み得る。例えば、ＭＡＣ制御要素（ＣＥ）本体６００のＲ１および／またはＭＡＣ制御要素（ＣＥ）本体７００のＲ２／Ｒ３は、ＭＡＣ制御要素（ＣＥ）が下りリンク構成または上りリンク構成に関係することを示すために使用され得る。
【００３９】
いくつかの実施形態において、ＭＡＣ制御要素（ＣＥ）はさらに、ＵＥ１０８によるレポートのための活性化ＣＳＩ−ＲＳリソースの部分集合の自律的選択を有効にするビットを含み得る。例えば、ＭＡＣ制御要素（ＣＥ）本体６００のＲ１および／またはＭＡＣ制御要素（ＣＥ）本体７００のＲ２／Ｒ３は、この目的のために使用され得る。一実施形態において、ＭＡＣ制御要素（ＣＥ）本体７００のＲ２は、上りリンク／下りリンク表示のために使用され得、Ｒ３は、自律的選択を有効にするために使用され得る。いくつかの場合において、もし自律的選択が有効ならば、ＵＥ１０８は、インデックスビットの値を気にせずに、候補測定集合におけるすべての構成伝送地点についてＣＳＩ−ＲＳフィードバックを生成し得る。そして、ＵＥ１０８は最大数までの数の伝送地点を選択し、選択した伝送地点についてのＣＳＩ−ＲＳフィードバックをｅＮＢ１０４に伝送し得る。ＵＥ１０８は、それぞれの伝送の品質に基づいて（例、生成したＣＳＩ−ＲＳフィードバックに基づいて）伝送地点を選択し得る。最大数はｅＮＢ１０４から受信し得（例、上述のＲＲＣ伝送において）、ＵＥ１０８によって決定し得、および／または、ＵＥ１０８のために予めプログラムし得る。ＵＥ１０８は、ＵＥ１０８がｅＮＢ１０４にＣＳＩ−ＲＳフィードバックを送信する対象となる伝送地点を、動的に更新し得る。
【００４０】
上述したとおり、ｅＮＢ１０４は、１以上の伝送地点の協調集合をＣｏＭＰ測定集合（例、活性伝送地点）から選択し得る。ｅＮＢ１０４は、協調集合に含まれる伝送地点を、受信したＣＳＩ−ＲＳフィードバック、他のスケジューリング決定、および／または、他のデータ／要因に基づいて決定し得る。協調集合は、ＰＤＳＣＨ上でＵＥ１０８への伝送のためにスケジュールされた１以上の伝送地点（例、スケジュールされた伝送地点集合）、および、対応するチャネルリソースについてＰＤＳＣＨ上でミュートする（例、伝送しない）ようにスケジュールされたいかなる伝送地点を含み得る。いくつかの実施形態において、協調集合のＩＤはＵＥ１０８に伝送されないかもしれない。なぜならば、協調集合は、ＰＤＳＣＨ上でＵＥ１０８に伝送しない伝送地点を含み得るからである。
【００４１】
いくつかの実施形態において、ｅＮＢ１０４は、ＰＤＳＣＨ上でＵＥ１０８に伝送するためにスケジュールされた伝送地点（例、スケジュールされた伝送地点集合）をＵＥ１０８に通知するために、ＵＥ１０８への伝送を行い得る。ＵＥ１０８は、例えば、動的地点選択のようないくつかのＣｏＭＰ方式のために、スケジュールされた伝送地点を通知される必要があり得る。他の実施形態において、ｅＮＢ１０４は、ＵＥ１０８に、スケジュールされた伝送地点を通知しないかもしれない。
【００４２】
スケジュールされた伝送地点をＵＥ１０８に通知するための伝送は、ＰＤＣＣＨ等の物理チャネル上で行われ得る。いくつかの実施形態において、該伝送は、スケジュールされた伝送地点をＵＥに通知するために、ＲＲＣ伝送において伝送地点のために構成されたインデックスを使用し得る。ＵＥ１０８は、スケジュールされた伝送地点からの伝送を受信するために、構成されたＣｏＭＰ構成パラメータを使用し得る。
【００４３】
前述のように、ｅＮＢ１０４（例、ＣｏＭＰ管理モジュール３４０）は、ＣｏＭＰ測定集合に含まれる伝送地点を動的に更新し得、更新されたＣｏＭＰ測定集合をＵＥ１０８に通知するために、別のＭＡＣ制御要素（ＣＥ）をＵＥ１０８に送信し得る。ｅＮＢ１０４は、ＣＳＩ−ＲＳパラメータおよび／またはセル固有パラメータ等のＣｏＭＰ構成パラメータを再送する必要はないかもしれない。むしろ、ＵＥ１０８は、ＣＳＩ−ＲＳフィードバックを生成するために、および／または、それに続くＣｏＭＰ通信のために、以前に受信したＣｏＭＰ構成パラメータを使用し得る。
【００４４】
ｅＮＢ１０４は、例えば、ＣｏＭＰ測定集合についてＵＥ１０８によってレポートされたＣＳＩ−ＲＳ高速フィードバック情報、候補測定集合について受信されたフィードバック（例、ＣＳＩ−ＲＳベースの無線リソース管理（ＲＲＭ）測定、ＣＲＳベースのＲＲＭ測定、および／または、上りリンクＳＲＳ測定）、他のスケジューリング決定、および／または、他のデータ／要因に基づいて、ＣｏＭＰ測定集合に含まれる伝送地点を更新し得る。例えば、もし、１以上の報告された伝送地点についてのＣＳＩ−ＲＳフィードバックの品質が閾値以下ならば、ｅＮＢ１０４は、ＣｏＭＰ測定集合に、別の伝送地点を加える、および／または、交換することを追求し得る。ｅＮＢ１０４は、ＣｏＭＰ測定集合に含めるために、候補測定集合に含まれる伝送地点から別の伝送地点を選択し得る。加えて、ｅＮＢ１０４は、ＣＳＩ−ＲＳフィードバックに基づいて、ＣｏＭＰ測定集合から、１以上の伝送地点を削除し得る。
【００４５】
いくつかの実施形態において、ｅＮＢ１０４は、候補測定集合について、進行中の（例、周期的）候補フィードバックを受信し得、候補フィードバックに基づいて、ＣｏＭＰ測定集合を選択および／または更新し得る。例えば、候補フィードバック情報は、長期共通参照信号（ＣＲＳ）フィードバック情報（例、ＣＲＳベースのＲＲＭ測定）、上りリンクサウンディング参照信号（ＳＲＳ）フィードバック情報、および／または、長期ＣＳＩ−ＲＳフィードバック情報（例、ＣＳＩ−ＲＳベースのＲＲＭ測定）を含み得る。
【００４６】
図１０は、さまざまな実施形態に従った、無線通信ネットワーク上の（例、ネットワーク１００）下りリンクＣｏＭＰ通信をサポートする方法１０００を示す。方法１０００は、ＵＥ１０８等のＵＥによって実行され得る。いくつかの実施形態において、ＵＥは、その命令が実行されるとき、ＵＥに方法１０００を実行させる命令がその媒体上に格納される１以上のコンピュータ可読媒体、を含み得、そして／または、にアクセスし得る。
【００４７】
１００４において、ＵＥは、ＵＥに対するＣｏＭＰ伝送の候補であるところの複数の伝送地点についてのＣｏＭＰ構成パラメータを、無線リソース制御（ＲＲＣ）シグナリングを介して受信し得る。該ＣｏＭＰ構成パラメータは、個々の伝送地点のためのＣＳＩ−ＲＳパラメータ、伝送地点に関連付けられた１以上のセルのためのセル固有パラメータ、および／または、ＵＥがＣＳＩ−ＲＳフィードバックを送信する対象となる伝送地点の最大数、を含み得る。
【００４８】
１００８において、ＵＥは、ＣＳＩ−ＲＳフィードバックのために活性化された１以上の複数の伝送地点に対応する複数のインデックスビットを含むＭＡＣ制御要素（ＣＥ）を受信し得る。ＭＡＣ制御要素（ＣＥ）は、上述のＭＡＣ制御要素（ＣＥ）本体６００および／または７００と同様の本体を含み得る。
【００４９】
１０１２において、ＵＥは、受信したＣＳＩ−ＲＳパラメータに基づいて、活性化された伝送地点のＣＳＩ−ＲＳリソースのためのＣＳＩ−ＲＳフィードバック（例、高速ＣＳＩ−ＲＳフィードバック）を生成し得る。１０１６において、ＵＥは、１以上の活性化された伝送地点のためのＣＳＩ−ＲＳフィードバックをｅＮＢに伝送し得る。いくつかの実施形態において、ＵＥは、ｅＮＢに伝送するために、最大数より少ないかまたは等しい数の伝送ポイントを選択し得る。
【００５０】
さまざまな実施形態において、ＵＥは、その後、ＣＳＩ−ＲＳフィードバックのために活性化された伝送地点を更新した別のＭＡＣ制御要素（ＣＥ）を受信し得る。その後ＵＥは、更新されたＭＡＣ制御要素（ＣＥ）において示された活性化された伝送地点のためのＣＳＩ−ＲＳフィードバックを生成し得る。
【００５１】
図１１は、ＵＥ（例、ＵＥ１０８）との下りリンクＣｏＭＰ通信を管理するための方法１１００を示す。方法１１００は、ｅＮＢ１０４等のｅＮＢによって実行され得る。いくつかの実施形態において、ｅＮＢは、その命令が実行されるとき、ｅＮＢに方法１１００を実行させる命令がその媒体上に格納される１以上のコンピュータ可読媒体、を含み得、そして／または、にアクセスし得る。
【００５２】
１１０４において、ｅＮＢは、ＲＲＣシグナリングを介して、ＣｏＭＰ伝送のための候補である複数の伝送地点のためのＣｏＭＰ構成パラメータを、ＵＥに伝送し得る。該ＣｏＭＰ構成パラメータは、個々の伝送地点のためのＣＳＩ−ＲＳパラメータ、伝送地点に関連付けられた１以上のセルのためのセル固有パラメータ、および／または、ＵＥがＣＳＩ−ＲＳフィードバックを送信する対象となる伝送地点の最大数、を含み得る。
【００５３】
１１０８において、ｅＮＢは、ＣＳＩ−ＲＳフィードバックのために活性化された１以上の候補伝送地点に対応する複数のインデックスビットを含むＭＡＣ制御要素（ＣＥ）を送信し得る。該ＭＡＣ制御要素（ＣＥ）は、上述のＭＡＣ制御要素（ＣＥ）本体６００および／または７００と同様の本体を含み得る。
【００５４】
１１１２において、ｅＮＢは、１以上の活性化された伝送地点のためのＣＳＩ−ＲＳフィードバック（例、高速ＣＳＩ−ＲＳフィードバック）を受信し得る。ｅＮＢは、受信したＣＳＩ−ＲＳフィードバックに基づいて、伝送地点の協調集合を選択し得る。該協調集合は、ＰＤＳＣＨ上でＵＥに伝送するようにスケジュールされた１以上の伝送地点を含み得る。
【００５５】
さまざまな実施形態において、ｅＮＢは、活性化された伝送地点を更新し得、別のＭＡＣ制御要素（ＣＥ）をＵＥに送信し得る。
【００５６】
本明細書に記載されたｅＮＢ１０４、ＵＥ１０８、および／または、伝送地点１１２ａ−ｏは、望む通りに構成するために、いかなる適切なハードウェアおよび／またはソフトウェアを使用するシステムに実装され得る。図１２は、一実施形態のために、１以上のプロセッサ１２０４と、プロセッサの少なくとも１つと結合したシステム制御ロジック１２０８と、システム制御ロジック１２０８と結合したシステムメモリ１２１２と、システム制御ロジック１２０８と結合した不揮発性メモリ（ＮＶＭ）／記憶装置１２１６と、システム制御ロジック１２０８と結合したネットワークインターフェイス１２２０と、および、システム制御ロジック１２０８と結合した入出力（Ｉ／Ｏ）デバイス１２３２とを含む例示のシステム１２００を示している。
【００５７】
プロセッサ１２０４は、１以上のシングルコアまたはマルチコアのプロセッサを含む。プロセッサ１２０４は、汎用プロセッサおよび専用プロセッサ（例、グラフィックプロセッサ、アプリケーションプロセッサ、ベースバンドプロセッサ、等）のいかなる組合せも含み得る。
【００５８】
一実施形態のためのシステム制御ロジック１２０８は、いかなる適切なインターフェイスを、プロセッサ１２０４の少なくとも１つに対して、および／または、システム制御ロジック１２０８と通信するいかなる適切なデバイスまたはコンポーネントに対して提供するためのいかなる適切なインターフェイスコントローラを含み得る。
【００５９】
一実施形態のためのシステム制御ロジック１２０８は、システムメモリ１２１２に対してインターフェイスを提供するための１以上のメモリコントローラを含み得る。システムメモリ１２１２は、例えばシステム１２００のために、データおよび／または命令をロードおよび格納するために使用され得る。一実施形態のためのシステムメモリ１２１２は、例えば、適切なダイナミックランダムアクセスメモリ（ＤＲＡＭ）等のいかなる適切な揮発性メモリを含み得る。
【００６０】
ＮＶＭ／記憶装置１２１６は、例えば、データおよび／または命令を格納するために使用される１以上の有形の非一時的コンピュータ可読媒体を含み得る。ＮＶＭ／記憶装置１２１６は、例えば、フラッシュメモリ等のいかなる適切な不揮発性メモリを含み得、そして／または、例えば、１以上のハードディスクドライブ（ＨＤＤ）、１以上のコンパクトディスク（ＣＤ）ドライブ、および／または、１以上のデジタル多用途ディスク（ＤＶＤ）ドライブ等のいかなる適切な不揮発性記憶装置を含み得る。
【００６１】
ＮＶＭ／記憶装置１２１６は、システム１２００がインストールされているデバイスの物理的一部分である記憶装置リソース、または、必ずしも該デバイスの一部分ではなく、デバイスによってアクセス可能な記憶装置リソース、を含み得る。例えば、ＮＶＭ／記憶装置１２１６は、ネットワークインターフェイス１２２０を介してネットワーク上でアクセスされ得、そして／または、入出力（Ｉ／Ｏ）デバイス１２３２上でアクセスされ得る。
【００６２】
ネットワークインターフェイス１２２０は、１以上のネットワーク上で、および／または、いかなる他の適切なデバイスと、システム１２００が通信するための無線インターフェイスを提供するための送受信機１２２２を含み得る。送受信機１２２２は、ＵＥ１０８の通信モジュール２２０、または、ｅＮＢ１０４の通信モジュール３３６を実装し得る。さまざまな実施形態において、送受信機１２２２は、システム１２００の他のコンポーネントと統合され得る。例えば、送受信機１２２２は、プロセッサ１２０４のプロセッサ、システムメモリ１２１２のメモリ、および、ＮＶＭ／記憶装置１２１６のＮＶＭ／記憶装置を含み得る。ネットワークインターフェイス１２２０は、いかなる適切なハードウェアおよび／またはファームウェアを含み得る。ネットワークインターフェイス１２２０は、マルチポイント入力マルチポイント出力無線インターフェイスを提供するための複数のアンテナを含み得る。一実施形態のためのネットワークインターフェイス１２２０は、例えば、有線ネットワークアダプタ、無線ネットワークアダプタ、電話モデム、および／または、無線モデムを含み得る。
【００６３】
一実施形態のために、プロセッサ１２０４の少なくとも１つは、システム制御ロジック１２０８の１以上のコントローラのためのロジックと一緒にパッケージされ得る。一実施形態のために、プロセッサ１２０４の少なくとも１つは、システムインパッケージ（ＳｉＰ）を形成するために、システム制御ロジック１２０８の１以上のコントローラのためのロジックと一緒にパッケージされ得る。一実施形態のために、プロセッサ１２０４の少なくとも１つは、システム制御ロジック１２０８の１以上のコントローラのためのロジックと一緒に同じチップ上に集積され得る。一実施形態のために、プロセッサ１２０４の少なくとも１つは、システムオンチップ（ＳｏＣ）を形成するために、システム制御ロジック１２０８の１以上のコントローラのためのロジックと一緒に同じチップ上に集積され得る。
【００６４】
さまざまな実施形態において、Ｉ／Ｏデバイス１２３２は、システム１２００とのユーザ相互作用を可能にするように設計されたユーザインターフェイス、システム１２００との周辺コンポーネント相互作用を可能にするように設計された周辺コンポーネントインターフェイス、および／または、環境条件および／またはシステム１２００に関する位置情報を決定するように設計されたセンサ、を含み得る。
【００６５】
さまざまな実施形態において、ユーザインターフェイスは、これらに限定されないが、ディスプレイ（例、液晶ディスプレイ、タッチスクリーンディスプレイ、等）、スピーカ、マイクロフォン、１以上のカメラ（例、スチルカメラおよび／またはビデオカメラ）、フラッシュライト（例、発光ダイオードフラッシュ）、およびキーボードを含み得る。
【００６６】
さまざまな実施形態において、周辺コンポーネントインターフェイスは、これらに限定されないが、不揮発性メモリポート、ユニバーサルシリアルバス（ＵＳＢ）ポート、オーディオジャック、および電源インターフェイスを含み得る。
【００６７】
さまざまな実施形態において、センサは、これらに限定されないが、ジャイロセンサ、加速度計、近接センサ、周囲光センサ、および測位ユニットを含み得る。測位ユニットはまた、全地球測位システム（ＧＰＳ）衛星等の測位ネットワークのコンポーネントと通信するためのネットワークインターフェイス１２２０、の一部であり得、または、と相互作用し得る。
【００６８】
さまざまな実施形態において、システム１２００は、これらに限定されないが、ラップトップコンピューティングデバイス、タブレットコンピューティングデバイス、ネットブック、スマートフォン、等のモバイルコンピューティングデバイスであり得る。さまざまな実施形態において、システム１２００は、多かれ少なかれコンポーネントを持ち得、および／または、異なるアーキテクチャを持ち得る。
【００６９】
本明細書において、説明の目的のために、ある実施形態が示され、説明されてきたが、本開示の範囲から逸脱することなく、同じ目的を達成するために計算された多種多様な代替の、および／または均等の実施形態または実装が、示され説明された実施形態を置き換えてもよい。本出願は、本明細書において議論された実施形態のいかなる適用または派生もカバーすることを意図している。従って、本明細書において説明された実施形態は、特許請求の範囲およびその均等によってのみ限定されることが明らかに意図されている。
【００７０】
［関連出願への相互参照］
本出願は、２０１２年２月６日に米国特許庁に出願された「アドバンスト無線通信システムおよび技術」と題する米国仮特許出願第６１／５９５，５７６の優先権を主張する。当該米国仮特許出願は、その全体が参照により本明細書に組み込まれる。
【図１】
0005893760.tif 000002
【図２】
0005893760.tif 000003
【図３】
0005893760.tif 000004
【図４Ａ】
0005893760.tif 000005
【図４Ｂ】
0005893760.tif 000006
【図４Ｃ】
0005893760.tif 000007
【図５】
0005893760.tif 000008
【図６】
0005893760.tif 000009
【図７】
0005893760.tif 000010
【図８】
0005893760.tif 000011
【図９】
0005893760.tif 000012
【図１０】
0005893760.tif 000013
【図１１】
0005893760.tif 000014
【図１２】
0005893760.tif 000015